(57)【要約】【課題】伝送路において発生するアークを正確に検出できるアーク検出回路等を提供する。【解決手段】直流電力を生成する太陽光パネル３１と、直流電力を交流電力に変換する電力変換装置５０とを接続する伝送路Ａにおいて発生するアークを検出するアーク検出回路１０は、正側伝送路Ａ１と負側伝送路Ａ２とを結ぶ経路Ａ３に、電力変換装置５０と並列に接続されるように配置され、伝送路Ａを流れる信号に含まれる交流成分の信号を伝送路Ａから経路Ａ３へ流す共振回路５と、経路Ａ３において共振回路５と直列に接続され、交流成分の信号に応じた電圧信号を発生する抵抗Ｒ１と、抵抗Ｒ１に発生した電圧信号が入力され、アークに対応した周波数の信号を通過させるフィルタ部１２と、フィルタ部１２を通過した信号に基づいて、アークの発生を判定するアーク判定部１１と、を備える。【選択図】図１
2020076705.tif 000002
【特許請求の範囲】
【請求項１】
直流電力を生成する直流電源と、前記直流電力を交流電力に変換する電力変換装置とを接続する伝送路において発生するアークを検出するアーク検出回路であって、
前記伝送路のうちの前記直流電源の正側と前記電力変換装置とを接続する正側伝送路と、前記伝送路のうちの前記直流電源の負側と前記電力変換装置とを接続する負側伝送路とを結ぶ経路に、前記電力変換装置と並列に接続されるように配置され、前記伝送路を流れる信号に含まれる交流成分の信号を前記伝送路から前記経路へ流す共振回路と、
前記経路において前記共振回路と直列に接続され、前記交流成分の信号に応じた電圧信号を発生する抵抗と、
前記抵抗に発生した前記電圧信号が入力され、アークに対応した周波数の信号を通過させるフィルタ部と、
前記フィルタ部を通過した信号に基づいて、アークの発生を判定するアーク判定部と、を備える、
アーク検出回路。
【請求項２】
前記共振回路は、コイル及びコンデンサにより構成される、
請求項１に記載のアーク検出回路。
【請求項３】
前記共振回路は、前記コイルと前記コンデンサとが直列に接続された直列共振回路である、
請求項２に記載のアーク検出回路。
【請求項４】
前記共振回路は、前記コイルと前記コンデンサとが並列に接続された並列共振回路であり、
前記アーク検出回路は、さらに、前記経路において前記並列共振回路と直列に接続されるコンデンサを備える、
請求項２に記載のアーク検出回路。
【請求項５】
請求項１〜４のいずれか１項に記載のアーク検出回路を備える、
ブレーカ。
【請求項６】
請求項１〜４のいずれか１項に記載のアーク検出回路を備える、
パワーコンディショナ。
【請求項７】
請求項１〜４のいずれか１項に記載のアーク検出回路を備える、
太陽光パネル。
【請求項８】
請求項１〜４のいずれか１項に記載のアーク検出回路を備え、
太陽光パネルから出力される信号の変換を行う、
太陽光パネル付属モジュール。
【請求項９】
請求項１〜４のいずれか１項に記載のアーク検出回路を備え、
太陽光パネルとパワーコンディショナとを接続する、
接続箱。
【発明の詳細な説明】
【技術分野】
【０００１】
本発明は、伝送路におけるアークを検出するアーク検出回路等に関する。
【背景技術】
【０００２】
従来、ＰＶ（Ｐｈｏｔｏ  Ｖｏｌｔａｉｃ）パネル（太陽光パネル）などの直流電源から伝送路を介して供給される直流電力をパワーコンディショナ（パワコン）で交流電力に変換するシステムが知られている。ＰＶパネルとパワコンとを接続する伝送路は、外的要因又は経年劣化等によって損傷、破断を引き起こすことが報告されている。このような伝送路の損傷等に起因してアーク（つまりアーク放電）が発生する場合がある。そこで、アークを検出するためのアーク検出手段が提案されている（例えば、特許文献１）。特許文献１に開示されたアーク検出手段においては、伝送路に印加される電圧及び電流に基づいてアークを検出しようとしている。
【先行技術文献】
【特許文献】
【０００３】
【特許文献１】特開２０１１−７７６５号公報
【発明の概要】
【発明が解決しようとする課題】
【０００４】
ところで、アークが発生したときに伝送路を流れる信号には、交流成分であるアークだけでなく、直流電源からの直流成分も含まれている。当該直流成分は、アーク（交流成分）の検出の際には不要な成分となり、当該直流成分の影響を受けてアークを正確に検出できないことがある。
【０００５】
そこで、本発明は、伝送路において発生するアークを正確に検出できるアーク検出回路等を提供することを目的とする。
【課題を解決するための手段】
【０００６】
上記目的を達成するために、本発明に係るアーク検出回路の一態様は、直流電力を生成する直流電源と、前記直流電力を交流電力に変換する電力変換装置とを接続する伝送路において発生するアークを検出するアーク検出回路であって、前記伝送路のうちの前記直流電源の正側と前記電力変換装置とを接続する正側伝送路と、前記伝送路のうちの前記直流電源の負側と前記電力変換装置とを接続する負側伝送路とを結ぶ経路に、前記電力変換装置と並列に接続されるように配置され、前記伝送路を流れる信号に含まれる交流成分の信号を前記伝送路から前記経路へ流す共振回路と、前記経路において前記共振回路と直列に接続され、前記交流成分の信号に応じた電圧信号を発生する抵抗と、前記抵抗に発生した前記電圧信号が入力され、アークに対応した周波数の信号を通過させるフィルタ部と、前記フィルタ部を通過した信号に基づいて、アークの発生を判定するアーク判定部と、を備える。
【０００７】
また、上記目的を達成するために、本発明に係るブレーカの一態様は、上記のアーク検出回路を備える。
【０００８】
また、上記目的を達成するために、本発明に係るパワーコンディショナの一態様は、上記のアーク検出回路を備える。
【０００９】
また、上記目的を達成するために、本発明に係る太陽光パネルの一態様は、上記のアーク検出回路を備える。
【００１０】
また、上記目的を達成するために、本発明に係る太陽光パネル付属モジュールの一態様は、上記のアーク検出回路を備え、太陽光パネルから出力される信号の変換を行う。
【００１１】
また、上記目的を達成するために、本発明に係る接続箱の一態様は、上記のアーク検出回路を備え、太陽光パネルとパワーコンディショナとを接続する。
【発明の効果】
【００１２】
本発明の一態様によれば、伝送路において発生するアークを正確に検出できる。
【図面の簡単な説明】
【００１３】
【図１】図１は、実施の形態１に係るアーク検出回路が適用されたシステムの一例を示す構成図である。
【図２】図２は、実施の形態１に係るアーク検出回路が適用されたシステムの他の一例を示す構成図である。
【図３】図３は、実施の形態１の変形例に係るアーク検出回路が適用されたシステムの一例を示す構成図である。
【図４】図４は、実施の形態１及びその変形例に係るアーク検出回路の適用例を説明するための図である。
【発明を実施するための形態】
【００１４】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１５】
なお、各図は、模式図であり、必ずしも厳密に図示されたものではない。また、各図において、実質的に同一の構成に対しては同一の符号を付しており、重複する説明は省略又は簡略化する。
【００１６】
（実施の形態１）
実施の形態１に係るアーク検出回路について、図面を用いて説明する。
【００１７】
図１は、実施の形態１に係るアーク検出回路１０が適用されたシステムの一例を示す構成図である。
【００１８】
アーク検出回路１０は、直流電力を生成する直流電源として太陽光パネル３１と、当該直流電力を交流電力に変換する電力変換装置５０とを接続する伝送路Ａにおいて発生するアークを検出する回路である。アーク検出回路１０は、共振回路５、抵抗Ｒ１、アーク判定部１１及びフィルタ部１２を備える。なお、以下では、直流電源の一例が太陽光パネル３１であるとして説明するが、直流電源は、直流電力を発生させるものであれば太陽光パネル３１に限らない。
【００１９】
図１に示されるように、太陽光パネル３１と電力変換装置５０とを接続する伝送路Ａには、太陽光パネル３１の正側と電力変換装置５０とを接続する正側伝送路Ａ１と、太陽光パネル３１の負側と電力変換装置５０とを接続する負側伝送路Ａ２とが含まれる。正側伝送路Ａ１及び負側伝送路Ａ２は、正負ＤＣ（Ｄｉｒｅｃｔ  Ｃｕｒｒｅｎｔ）ラインとも呼ばれる。正側伝送路Ａ１には太陽光パネル３１から電力変換装置５０への直流電流が流れ、負側伝送路Ａ２には電力変換装置５０から太陽光パネル３１へ戻る直流電流が流れる。なお、負側伝送路Ａ２は、グランドに直接的には接続されていない伝送路である。
【００２０】
本実施の形態では、電力変換装置５０は、例えば、パワーコンディショナ（パワコン）が有する構成の一部である。電力変換装置５０は、太陽光パネル３１から伝送路Ａを介して供給される直流電力を交流電力に変換する。電力変換装置５０は、例えばＭＰＰＴ（Ｍａｘｉｍｕｍ  Ｐｏｗｅｒ  Ｐｏｉｎｔ  Ｔｒａｃｋｉｎｇ）方式を採用しており、太陽光パネル３１から供給される直流電力の電流及び電圧を、それぞれ電力が最大となる値に調整する。例えば、電力変換装置５０は、直流電力を電圧１００Ｖ、周波数５０Ｈｚ又は６０Ｈｚの交流電力に変換する。当該交流電力は、家庭用電気機器等で使用される。
【００２１】
伝送路Ａは、外的要因や経年劣化等によって損傷、破断を引き起こすことが報告されている。このような伝送路Ａの損傷等に起因してアーク（つまりアーク放電）が発生する場合がある。
【００２２】
共振回路５は、伝送路Ａのうちの正側伝送路Ａ１と負側伝送路Ａ２とを結ぶ経路に電力変換装置５０と並列に接続されるように配置され、伝送路Ａを流れる信号に含まれる交流成分の信号を伝送路Ａ（ここでは伝送路Ａ１）から経路Ａ３へ流す回路である。共振回路５は、コイルＬ１及びコンデンサＣ１により構成され、本実施の形態では、コイルＬ１とコンデンサＣ１とが直列に接続された直列共振回路である。共振回路５は、共振回路５の共振周波数に対応する交流成分の信号を抽出する機能を有するため、伝送路Ａを流れる信号から当該共振周波数に対応する交流成分のみを抽出して、経路Ａ３に流すことができる。コイルＬ１のインダクタンス値及びコンデンサＣ１のキャパシタンス値は、目的とする共振周波数に応じて（つまり、抽出したい交流成分の周波数に応じて）適宜決定される。
【００２３】
抵抗Ｒ１は、経路Ａ３において、共振回路５と直列接続される。共振回路５と抵抗Ｒ１とが直列接続された回路は、電力変換装置５０と並列に接続される。抵抗Ｒ１は、交流成分の信号に対応した電圧信号を発生する、微小な抵抗値を有する抵抗素子である。当該電圧信号は、交流成分の信号（電流）が抵抗Ｒ１を流れることで抵抗Ｒ１に生じる電位差を示す信号である。当該電位差は、経路Ａ３を流れる電流に相当する値となるため、抵抗Ｒ１は、電流センサとして機能する。電流センサとして、ＩＣ（Ｉｎｔｅｒｇｒａｔｅｄ  Ｃｉｒｃｕｉｔ）等のセンサを用いた場合、アーク検出回路１０は、大型化してしまい、コストもかかる。例えば、電流センサとして、ホール素子等を用いた場合、ホール素子自体が抵抗Ｒ１よりも大きい場合が多く、また、別途磁気コア等も必要となるため、アーク検出回路１０は、大型化してしまい、コストもかかる。これに対して、抵抗Ｒ１を用いることで、小型化、低コスト化を実現できる。
【００２４】
経路Ａ３における共振回路５と抵抗Ｒ１とが直列接続された回路は、電力変換装置５０と並列に接続される。例えば、正側伝送路Ａ１側に共振回路５が配置され、負側伝送路Ａ２側に抵抗Ｒ１が配置される。なお、負側伝送路Ａ２側に共振回路５が配置され、正側伝送路Ａ１側に抵抗Ｒ１が配置されてもよい。
【００２５】
フィルタ部１２は、抵抗Ｒ１に発生した電圧信号が入力され、アークに対応した周波数の信号を通過させるフィルタを有する。アークは、特定の広帯域周波数で発生するため、当該フィルタは、アーク判定に用いる周波数以外の信号を遮断する。当該フィルタは、例えば、ＲＬＣフィルタ等であるが、特に限定されない。当該フィルタの通過帯域は、発生し得るアークの周波数及びアーク以外のノイズの周波数等に応じて適宜決定される。
【００２６】
アーク判定部１１は、フィルタ部１２を通過した信号に基づいて、アークの発生を判定する。アーク判定部１１は、例えばＡＤ変換機能を有するマイコン（マイクロコントローラ）により実現され、例えば抵抗Ｒ１において生じた電圧を、フィルタ部１２を介して取得する。マイコンは、プログラムが格納されたＲＯＭ、ＲＡＭ、プログラムを実行するプロセッサ（ＣＰＵ：Ｃｅｎｔｒａｌ  Ｐｒｏｃｅｓｓｉｎｇ  Ｕｎｉｔ）、タイマ、Ａ／Ｄ変換器、Ｄ／Ａ変換器等を有する半導体集積回路等である。なお、フィルタ部１２は、増幅回路を有していてもよい。これにより、抵抗Ｒ１において生じた電圧の大きさをアーク判定部１１のＡＤ変換機能に対応した大きさに増幅することができ、アーク判定部１１が正しく当該電圧をＡＤ変換できる。
【００２７】
なお、アーク判定部１１は、コンパレータによって実現されてもよい。これにより、アーク判定部１１をマイコンで実現する場合よりも簡略化でき、小型化、低コスト化が可能となる。
【００２８】
アーク検出回路が伝送路Ａを流れる信号から直接アークの発生を判定する場合、アーク検出にとって不要な直流成分を含む当該信号からアークを検出する必要があり、当該直流成分によってアークを正確に検出できないことがある。また、当該直流成分が抵抗Ｒ１に流れるため、抵抗Ｒ１として、高耐圧の抵抗を用意する必要がある。
【００２９】
これに対して、本実施の形態では、正側伝送路Ａ１と負側伝送路Ａ２とを結ぶ経路Ａ３に共振回路５が配置されることで、アークが発生していない通常時には、共振回路５の影響を受けることなく、太陽光パネル３１等の直流電源から電力変換装置５０へ直流電力を供給することができる。そして、アークが発生したときには、共振回路５によって、アーク（交流成分）のみを抽出して、経路Ａ３に流すことができる。つまり、伝送路Ａにアークが発生した際には、当該直流成分の影響を受けずにアークの発生を検出できるため、アークを正確に検出できる。また、直流成分は抵抗Ｒ１に流れないため、抵抗Ｒ１として低耐圧の抵抗（つまり小型な抵抗）を用いることができ、アーク検出回路１０を小型化できる。
【００３０】
例えば、アークが検出された場合、伝送路Ａに流れる電流を遮断する必要がある。これに対して、アーク判定部１１での判定結果に基づいて、電力変換装置５０を停止させることで、伝送路Ａに流れる電流を遮断することができる。
【００３１】
なお、アーク検出回路１０は、パワコンが有する構成の一部として、パワコンに設けられていてもよい。これについて、図２を用いて説明する。
【００３２】
図２は、実施の形態１に係るアーク検出回路１０が適用されたシステムの他の一例を示す構成図である。
【００３３】
図２に示されるように、アーク検出回路１０は、パワコン５１に設けられ、パワコン５１内で電力変換装置５０と並列に接続されるように電力変換装置５０と一体に設けられる。
【００３４】
このように、アーク検出回路１０と電力変換装置５０とが一体に設けられることで、これらを連動させて動作させやすくなる。すなわち、アーク検出回路１０がアークを検出した場合に、電力変換装置５０を円滑に停止させることができる。
【００３５】
また、上記実施の形態では、共振回路５は、コイルＬ１とコンデンサＣ１とが直列に接続された直列共振回路であったが、これに限らない。共振回路の他の例について実施の形態１の変形例として図３を用いて説明する。
【００３６】
図３は、実施の形態１の変形例に係るアーク検出回路１０ａが適用されたシステムの一例を示す構成図である。
【００３７】
アーク検出回路１０ａは、共振回路５の代わりに共振回路５ａを備え、さらに、コンデンサＣ２を備える点が、アーク検出回路１０と異なる。その他の点については、アーク検出回路１０と同じであるため、説明は省略する。
【００３８】
共振回路５ａは、コイルＬ１とコンデンサＣ１とが並列に接続された並列共振回路である。共振回路５ａは、共振回路５ａの共振周波数に対応する交流成分以外の成分の信号を抽出する機能を有するため、伝送路Ａを流れる信号から当該共振周波数に対応する交流成分以外の成分の信号を抽出して、経路Ａ３に流すことができる。コイルＬ１のインダクタンス値及びコンデンサＣ１のキャパシタンス値は、目的とする共振周波数に応じて（つまり、抽出したくない交流成分の周波数に応じて）適宜決定される。
【００３９】
ただし、共振回路５ａだけでは、直流成分も経路Ａ３に流れるため、アーク検出回路１０ａは、さらに、経路Ａ３において共振回路５ａと直列に接続されるコンデンサＣ２を備える。これにより、共振回路５ａの共振周波数に対応する交流成分以外の交流成分の信号を抽出することができる。
【００４０】
なお、アーク検出回路１０ａについても、アーク検出回路１０と同じように、パワコン５１が有する構成の一部として、パワコン５１に設けられていてもよい。
【００４１】
以上説明したように、本実施の形態に係るアーク検出回路１０は、直流電力を生成する直流電源（太陽光パネル３１）と、直流電力を交流電力に変換する電力変換装置５０とを接続する伝送路Ａにおいて発生するアークを検出する回路である。アーク検出回路１０は、伝送路Ａのうちの直流電源の正側と電力変換装置５０とを接続する正側伝送路Ａ１と、伝送路Ａのうちの直流電源の負側と電力変換装置５０とを接続する負側伝送路Ａ２とを結ぶ経路Ａ３に電力変換装置５０と並列に接続されるように配置され、伝送路Ａを流れる信号に含まれる交流成分の信号を伝送路Ａから経路Ａ３へ流す共振回路５を備える。また、アーク検出回路１０は、経路Ａ３において共振回路５と直列に接続され、交流成分の信号に応じた電圧信号を発生する抵抗Ｒ１と、抵抗Ｒ１に発生した電圧信号が入力され、アークに対応した周波数の信号を通過させるフィルタ部１２と、フィルタ部１２を通過した信号に基づいて、アークの発生を判定するアーク判定部１１と、を備える。
【００４２】
これによれば、アークが発生していない通常時には、共振回路５の影響を受けることなく、伝送路Ａから直流電力を電力変換装置５０に供給することができる。そして、アークが発生したときには、共振回路５によって、伝送路Ａからアーク（交流成分）のみを抽出して、経路Ａ３に流すことができる。つまり、アーク判定部１１は、当該直流成分の影響を受けずにアークの発生を検出でき、伝送路Ａにおいて発生するアークを正確に検出できる。また、アークの検出に、ＣＴ（Ｃｕｒｒｅｎｔ  Ｔｒａｎｓ）等と比べて小型な抵抗Ｒ１を用いるため、アーク検出回路１０を小型化できる。また、共振回路５と直列接続された抵抗Ｒ１には、大きな直流成分が流れにくいため、抵抗Ｒ１として、低耐圧の抵抗を用いることができ、アーク検出回路１０をさらに小型化できる。
【００４３】
具体的には、共振回路５は、コイルＬ１及びコンデンサＬ１により構成されてもよい。より具体的には、共振回路５は、コイルＬ１とコンデンサＣ１とが直列に接続された直列共振回路であってもよい。また、変形例のように、共振回路５ａは、コイルＬ１とコンデンサＣ１とが並列に接続された並列共振回路であってもよく、アーク検出回路１０ａは、さらに、経路Ａ３において並列共振回路（共振回路５ａ）と直列に接続されるコンデンサＣ２を備えていてもよい。
【００４４】
このような回路構成によって、共振回路５、５ａを実現することができる。
【００４５】
（実施の形態２）
実施の形態２では、アーク検出回路１０、１０ａの適用例について説明する。
【００４６】
図４は、実施の形態１及びその変形例に係るアーク検出回路１０、１０ａの適用例を説明するための図である。
【００４７】
上述したように、アーク検出回路１０、１０ａは、例えば、太陽光パネル３１から伝送路Ａを介して供給される直流電力を、電力変換装置５０により構成されるパワーコンディショナ（パワコン）５１で交流電力に変換するシステムに適用される。本適用例では、３つの太陽光パネル３１が１つのストリング６０によって直列に接続されたものが３つ並べられて、太陽電池アレイ３０を形成している。各ストリング６０は、接続箱４０によってまとめられて、パワコン５１へ接続される。
【００４８】
例えば、ストリング６０毎にブレーカ４１が設けられており、ここでは、接続箱４０内にブレーカ４１が設けられている。なお、ブレーカ４１は、接続箱４０内に設けられなくてもよい。例えば、ブレーカ４１は、接続箱４０と太陽電池アレイ３０との間に設けられていてもよいし、ストリング６０毎に設けられず接続箱４０とパワコン５１との間に設けられていてもよい。
【００４９】
太陽光パネル３１は、例えば、太陽光パネル３１から出力される信号の変換を行う、太陽光パネル付属モジュール３２を有する。なお、太陽光パネル３１は、太陽光パネル付属モジュール３２を有していなくてもよい。太陽光パネル付属モジュール３２は、例えば、太陽光パネル３１毎の発電量を最適化するＤＣ／ＤＣコンバータである。
【００５０】
例えば、ブレーカ４１がアーク検出回路１０、１０ａを備えていてもよい。この場合、伝送路Ａは、ブレーカ４１に接続された伝送路（例えばストリング６０）となり、アークが発生したストリング６０に流れる電流を遮断することができる。例えば、アーク判定部１１が、アークが発生したと判定することで、ブレーカ４１は、アークが発生したストリング６０に流れる電流を遮断する。アークが発生していないストリング６０については、電流を遮断せずに使用することができる。
【００５１】
また、例えば、図２で説明したように、パワコン５１がアーク検出回路１０、１０ａを備えていてもよい。この場合、パワコン５１内で経路Ａ３における共振回路５と抵抗Ｒ１とが直列接続された回路が、電力変換装置５０と並列に接続される。また、伝送路Ａは、パワコン５１に接続された伝送路となり、アークの発生に応じてパワコン５１を停止することができる。例えば、アーク判定部１１が、アークが発生したと判定することで、パワコン５１は停止する。
【００５２】
また、例えば、太陽光パネル３１又は太陽光パネル付属モジュール３２がアーク検出回路１０、１０ａを備えていてもよい。この場合、伝送路Ａは、太陽光パネル３１に接続された伝送路（例えばストリング６０）となり、アークが発生したストリング６０への出力を停止することができる。例えば、アーク判定部１１が、アークが発生したと判定することで、太陽光パネル３１又は太陽光パネル付属モジュール３２は、アークが発生したストリング６０への出力を停止する。アークが発生していないストリング６０については、出力を停止せずに使用することができる。
【００５３】
また、例えば、接続箱４０がアーク検出回路１０、１０ａを備えていてもよい。この場合、伝送路Ａは、接続箱４０に接続された伝送路（例えばストリング６０）となり、例えばブレーカ４１等を介して、アークが発生したストリング６０に流れる電流を遮断することができる。例えば、アーク判定部１１が、アークが発生したと判定することで、接続箱４０は、アークが発生したストリング６０に流れる電流を遮断する。アークが発生していないストリング６０については、電流を遮断せずに使用することができる。
【００５４】
なお、アーク検出回路１０、１０ａは、上記システムに限らず、アークの発生の検出が必要なシステム全般に適用できる。
【００５５】
このように、ブレーカ４１は、アーク検出回路１０、１０ａを備えていてもよい。また、パワーコンディショナ５１は、アーク検出回路１０、１０ａを備えていてもよい。また、太陽光パネル３１は、アーク検出回路１０、１０ａを備えていてもよい。また、太陽光パネル付属モジュール３２は、アーク検出回路１０、１０ａを備え、太陽光パネル３１から出力される信号の変換を行ってもよい。また、接続箱４０は、アーク検出回路１０、１０ａを備え、太陽光パネル３１とパワーコンディショナ５１とを接続してもよい。
【００５６】
（その他の実施の形態）
以上、実施の形態に係るアーク検出回路１０等について説明したが、本発明は、上記実施の形態に限定されるものではない。
【００５７】
上記実施の形態に係るアーク検出回路１０、１０ａは、マイコンによってソフトウェア的に実現されたが、パーソナルコンピュータなどの汎用コンピュータにおいてソフトウェア的に実現されてもよい。さらに、アーク検出回路１０、１０ａは、Ａ／Ｄ変換器、論理回路、ゲートアレイ、Ｄ／Ａ変換器等で構成される専用の電子回路によってハードウェア的に実現されてもよい。
【００５８】
また、例えば、上記実施の形態では、共振回路５、５ａは、ＬＣ共振回路であったが、これに限らない。例えば、抵抗、コイル及びコンデンサを組み合わせたＲＬＣ共振回路であってもよい。
【００５９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００６０】
５、５ａ  共振回路
１０、１０ａ  アーク検出回路
１１  アーク判定部
１２  フィルタ部
３１  太陽光パネル
３２  太陽光パネル付属モジュール
４０  接続箱
４１  ブレーカ
５０  電力変換装置
５１  パワーコンディショナ（パワコン）
Ｃ１、Ｃ２  コンデンサ
Ａ  伝送路
Ａ１  正側伝送路
Ａ２  負側伝送路
Ａ３  経路
Ｒ１  抵抗
【図１】
2020076705.tif 000003
【図２】
2020076705.tif 000004
【図３】
2020076705.tif 000005
【図４】
2020076705.tif 000006